(57)【要約】【課題】他の連結用要素を要することなく、真っ直ぐに連結できるとともに直角等任意の角度をもって連結でき、且つ、不用意に連結が解除されないプレートを提供すること。【解決手段】  プレート本体と、上記プレート本体の一端側に設けられた位置決め用凸部と、上記プレート本体の他端側に設けられ連結対象の他のプレートの上記位置決め用凸部の複数の方向からの挿入・係合が許容される位置決め用凹部と、上記プレート本体の一端側に設けられたロック用凸部と、上記プレート本体の他端側に設けられ連結対象の他のプレートの上記ロック用凸部の複数の方向からの挿入・係合が許容されるロック用凹部と、を具備したもの。【選択図】  図３
2015188713.tif 000002
【特許請求の範囲】
【請求項１】
プレート本体と、
上記プレート本体の一端側に設けられた位置決め用凸部と、
上記プレート本体の他端側に設けられ連結対象の他のプレートの上記位置決め用凸部の複数の方向からの挿入・係合が許容される位置決め用凹部と、
上記プレート本体の一端側に設けられたロック用凸部と、
上記プレート本体の他端側に設けられ連結対象の他のプレートの上記ロック用凸部の複数の方向からの挿入・係合が許容されるロック用凹部と、
を具備したことを特徴とするプレート。
【請求項２】
請求項１記載のプレートにおいて、
上記位置決め用凹部は上記他のプレートの上記位置決め用凸部の一の方向からの挿入・係合及び上記一の方向に対して任意の角度をもった方向からの挿入・係合が許容されており、
上記ロック用凹部は上記他のプレートの上記ロック用凸部の一の方向からの挿入・係合及び上記一の方向に対して任意の角度をもった方向からの挿入・係合が許容されていることを特徴とするプレート。
【請求項３】
請求項２記載のプレートにおいて、
上記一の方向は真っ直ぐの方向であり、上記一の方向に対して任意の角度をもった方向は直交する方向であることを特徴とするプレート。
【請求項４】
請求項２又は請求項３記載のプレートにおいて、
上記ロック用凸部には第１ロック用係合凸部と第２ロック用係合凸部が形成されており、
上記ロック用凸部が上記ロック用凹部に対して上記一の方向から挿入・係合された際には上記第１ロック用係合凸部が上記ロック用凹部に係合され、上記ロック用凸部が上記一の方向に対して任意の角度をもった方向から挿入・係合された際には上記第２ロック用係合凸部が上記ロック用凹部に係合されることを特徴とするプレート。
【請求項５】
請求項４記載のプレートにおいて、
上記第１ロック用係合凸部と第２ロック用係合凸部は上記ロック用凸部の対向する面にそれぞれ形成されていることを特徴とするプレート。
【請求項６】
請求項４又は請求項５記載のプレートにおいて、
上記第１ロック用係合凸部と上記第２ロック用係合凸部の上記ロック用凸部の上記ロット用凹部に対する挿入方向における位置が異なっていることを特徴とするプレート。
【請求項７】
請求項１〜請求項６の何れかに記載のプレートにおいて、
上記位置決め用凸部及び上記ロック用凸部は先端に向かって幅狭状に切り欠かれていることを特徴とするプレート。
【請求項８】
請求項１〜請求項７の何れかに記載のプレートにおいて、
上記一端側及び他端側を結ぶ線に直交する方向の一端側に設けられた位置決め用凸部と、
上記一端側及び他端側を結ぶ線に直交する方向の他端側に設けられ連結対象の他のプレートの上記位置決め用凸部の挿入・係合が許容される位置決め用凹部と、
上記直交する方向の一端側に設けられたロック用凸部と、
上記直交する方向の他端側に設けられ連結対象の他のプレートの上記ロック用凸部の挿入・係合が許容されるロック用凹部と、
を具備したことを特徴とするプレート。
【請求項９】
請求項８記載のプレートにおいて、
上記直交する方向の他端側に設けられた位置決め用凹部は連結対象の他のプレートの上記位置決め用凸部の複数の方向からの挿入・係合が許容されるものであり、
上記直交する方向の他端側に設けられたロック用凹部は連結対象の他のプレートの上記ロック用凸部の複数の方向からの挿入・係合が許容されるものであることを特徴とするプレート。
【請求項１０】
請求項１〜請求項９の何れかに記載のプレートにおいて、
上記プレートは取付対象物に取り付けられるものであり、
上記取付対象物に取り付けられるための取付用部材が設置されていることを特徴とするプレート。
【請求項１１】
請求項１０記載のプレートにおいて、
上記プレートの取付用部材が設置された側に対向する側には取付用部材収納用凹部が形成されており、
上記プレートが連結対象の他のプレートに連結された際、上記取付用部材は上記連結対象の他のプレートの取付用部材収納用凹部に収納されることを特徴とするプレート。
【請求項１２】
請求項１０又は請求項１１記載のプレートにおいて、
上記取付用部材は面ファスナであることを特徴とするプレート。
【発明の詳細な説明】
【技術分野】
【０００１】
本発明は、例えば、ロボット玩具用の試合場の囲い状構造体を構成するプレートに係り、特に、他の連結用要素を要することなく、真っ直ぐに又は直角等任意の角度をもって連結でき、且つ、該連結が不用意に解除されないように工夫したものに関する。
【背景技術】
【０００２】
従来、プレート等の板体であって、真っ直ぐに又は直角等任意の角度をもって連結できるものとして、例えば、特許文献１〜特許文献３に記載されたようなものがあった。
まず、特許文献１に記載された発明による「平板体および仮設住居」は次のような構成になっている。まず、平板体があり、この平板体の幅方向両端側の上面及び下面には凹凸係合部がそれぞれ形成されている。これら平板体同士を、真っ直ぐに又は直交させた状態で当接させる。上記平板体とは別に凹凸係合部を備えた補強具がある。この補強具が上記当接された平板体同士を跨ぐように設置され、補強具の凹凸係合部が上記当接されたそれぞれの平板体の凹凸係合部に係合される。それによって、平板体同士が連結される。
【０００３】
また、特許文献２に記載された発明による「パネル、およびパネルの接合方法」は次のような構成になっている。まず、パネルがあり、このパネルの幅方向両端側には凹凸係合部が左右点対称にそれぞれ設けられている。これらパネル同士を真っ直ぐに又は直交させた状態で当接させ、それぞれの凹凸係合部同士を係合させる。それによってパネル同士が連結される。又、その連結状態を固定するために接着剤が塗布される。
【０００４】
さらに、特許文献３に記載された考案による「組み立て玩具」は次のような構成になっている。まず、板体があり、この板体の全周面には凹凸係合部が形成されている。これら板体同士を、真っ直ぐに又は直交させた状態で当接させ、それぞれの凹凸係合部同士を係合させる。それによって、板体同士が連結され、例えば、立方体の玩具が完成される。
【０００５】
また、このほかにも、特許文献４に記載された発明による「軌道玩具」もある。この「軌道玩具」は次のような構成になっている。まず、軌道要素があり、この軌道要素の一端には連結用凹部が形成されており、他端には連結用突起が突出されている。また、上記連結用突起には係合凹部が形成されており、上記連結用凹部内には係合凸部が形成されている。そして、上記軌道要素同士を真っ直ぐに当接させ、上記連結用凹部に上記連結用突起を挿入する。その際、上記連結用凹部内の係合凸部と上記連結用突起の係合凹部が係合される。それによって、軌道要素同士が連結される。
【先行技術文献】
【特許文献】
【０００６】
【特許文献１】特開２００５−１３３５０８号公報
【特許文献２】特開２０００−２８２５９０号公報
【特許文献３】実開昭４０−１３２９１号公報
【特許文献４】特開平１０−２９５９４７号公報
【発明の概要】
【発明が解決しようとする課題】
【０００７】
上記従来の構成によると次のような問題があった。
まず、特許文献１に記載された平板体の場合には、平板体を連結・固定するために別途補強具が必要であり、上記平板体のみでは連結・固定を行うことができないという問題があった。
また、特許文献２に記載されたパネルや特許文献３に記載された板体の場合には、凹凸係合部同士が係合されているのみであり、そのままではその係合状態を強固に保持することができないという問題があった。
例えば、特許文献２に記載されたパネルの場合には、そのままでは強固な係合状態を得ることはできず、強固な係合状態を得るためには接着剤を塗布しなければならないと説明されている。そのため、接着剤を使用しない場合には、パネル同士の連結が外力により不用意に外れてしまうという問題があった。
また、特許文献３に記載された板体の場合には、立方体などの構造物として組み立てられてはじめて必要な強度が得られるものであり、それ以前の段階では、十分な強度を得ることはできないものである。そのため、板体同士の係合が外力により不用意に外れてしまうという問題があった。
さらに、特許文献４に記載されたものは、軌道要素同士を真っ直ぐに連結させることしかできず、一方の軌道要素に対して他方の軌道要素を、例えば、直交させた方向に連結させることはできなかった。
【０００８】
本発明はこのような点に基づいてなされたものでその目的とするところは、他の連結用要素を要することなく、真っ直ぐに又は直角等任意の角度をもって連結でき、且つ、該連結が不用意に解除されないプレートを提供することにある。
【課題を解決するための手段】
【０００９】
上記課題を解決するべく本願発明の請求項１によるプレートは、プレート本体と、上記プレート本体の一端側に設けられた位置決め用凸部と、上記プレート本体の他端側に設けられ連結対象の他のプレートの上記位置決め用凸部の複数の方向からの挿入・係合が許容される位置決め用凹部と、上記プレート本体の一端側に設けられたロック用凸部と、上記プレート本体の他端側に設けられ連結対象の他のプレートの上記ロック用凸部の複数の方向からの挿入・係合が許容されるロック用凹部と、を具備したことを特徴とするものである。
また、請求項２によるプレートは、請求項１記載のプレートにおいて、上記位置決め用凹部は上記他のプレートの上記位置決め用凸部の一の方向からの挿入・係合及び上記一の方向に対して任意の角度をもった方向からの挿入・係合が許容されており、上記ロック用凹部は上記他のプレートの上記ロック用凸部の一の方向からの挿入・係合及び上記一の方向に対して任意の角度をもった方向からの挿入・係合が許容されていることを特徴とするものである。
また、請求項３によるプレートは、請求項２記載のプレートにおいて、上記一の方向は真っ直ぐの方向であり、上記一の方向に対して任意の角度をもった方向は直交する方向であることを特徴とするものである。
また、請求項４によるプレートは、請求項２又は請求項３記載のプレートにおいて、上記ロック用凸部には第１ロック用係合凸部と第２ロック用係合凸部が形成されており、上記ロック用凸部が上記ロック用凹部に対して上記一の方向から挿入・係合された際には上記第１ロック用係合凸部が上記ロック用凹部に係合され、上記ロック用凸部が上記一の方向に対して任意の角度をもった方向から挿入・係合された際には上記第２ロック用係合凸部が上記ロック用凹部に係合されることを特徴とするものである。
また、請求項５によるプレートは、請求項４記載のプレートにおいて、上記第１ロック用係合凸部と第２ロック用係合凸部は上記ロック用凸部の対向する面にそれぞれ形成されていることを特徴とするものである。
また、請求項６によるプレートは、請求項４又は請求項５記載のプレートにおいて、上記第１ロック用係合凸部と上記第２ロック用係合凸部の上記ロック用凸部の上記ロット用凹部に対する挿入方向における位置が異なっていることを特徴とするものである。
また、請求項７によるプレートは、請求項１〜請求項６の何れかに記載のプレートにおいて、上記位置決め用凸部及び上記ロック用凸部は先端に向かって幅狭状に切り欠かれていることを特徴とするものである。
また、請求項８によるプレートは、請求項１〜請求項７の何れかに記載のプレートにおいて、上記一端側及び他端側を結ぶ線に直交する方向の一端側に設けられた位置決め用凸部と、上記一端側及び他端側を結ぶ線に直交する方向の他端側に設けられ連結対象の他のプレートの上記位置決め用凸部の挿入・係合が許容される位置決め用凹部と、上記直交する方向の一端側に設けられたロック用凸部と、上記直交する方向の他端側に設けられ連結対象の他のプレートの上記ロック用凸部の挿入・係合が許容されるロック用凹部と、を具備したことを特徴とするものである。
また、請求項９によるプレートは、請求項８記載のプレートにおいて、上記直交する方向の他端側に設けられた位置決め用凹部は連結対象の他のプレートの上記位置決め用凸部の複数の方向からの挿入・係合が許容されるものであり、
上記直交する方向の他端側に設けられたロック用凹部は連結対象の他のプレートの上記ロック用凸部の複数の方向からの挿入・係合が許容されるものであることを特徴とするものである。
また、請求項１０によるプレートは、請求項１〜請求項９の何れかに記載のプレートにおいて、上記プレートは取付対象物に取り付けられるものであり、上記取付対象物に取り付けられるための取付用部材が設置されていることを特徴とするものである。
また、請求項１１によるプレートは、請求項１０記載のプレートにおいて、上記プレートの取付用部材が設置された側に対向する側には取付用部材収納用凹部が形成されており、上記プレートが連結対象の他のプレートに連結された際、上記取付用部材は上記連結対象の他のプレートの取付用部材収納用凹部に収納されることを特徴とするものである。
また、請求項１２によるプレートは、請求項１０又は請求項１１記載のプレートにおいて、上記取付用部材は面ファスナであることを特徴とするものである。
【発明の効果】
【００１０】
以上述べたように本願発明の請求項１にプレートによると、プレート本体と、上記プレート本体の一端側に設けられた位置決め用凸部と、上記プレート本体の他端側に設けられ連結対象の他のプレートの上記位置決め用凸部の複数の方向からの挿入・係合が許容される位置決め用凹部と、上記プレート本体の一端側に設けられたロック用凸部と、上記プレート本体の他端側に設けられ連結対象の他のプレートの上記ロック用凸部の複数の方向からの挿入・係合が許容されるロック用凹部と、を具備した構成になっているので、上記プレート同士を複数の方向に連結させることができる。また、上記ロック用凸部と上記ロック用凹部との係合により、上記プレート以外の要素を要することなく上記プレート同士を連結・固定でき、不用意な連結の解除も防止できる。
又、請求項２によるプレートによると、請求項１記載のプレートにおいて、上記位置決め用凹部は上記他のプレートの上記位置決め用凸部の一の方向からの挿入・係合及び上記一の方向に対して任意の角度をもった方向からの挿入・係合が許容されており、上記ロック用凹部は上記他のプレートの上記ロック用凸部の一の方向からの挿入・係合及び上記一の方向に対して任意の角度をもった方向からの挿入・係合が許容されているので、上記プレート同士を上記一の方向、又は、上記一の方向に対して任意の角度を持った方向に連結させることができる。
また、請求項３によるプレートによると、請求項２記載のプレートにおいて、上記一の方向は真っ直ぐの方向であり、上記一の方向に対して任意の角度をもった方向は直交する方向であるので、プレート同士を真っ直ぐに又は直交する方向に連結させることができる。
又、請求項４によるプレートによると、請求項２又は請求項３記載のプレートにおいて、上記ロック用凸部には第１ロック用係合凸部と第２ロック用係合凸部が形成されており、上記ロック用凸部が上記ロック用凹部に対して上記一の方向から挿入・係合された際には上記第１ロック用係合凸部が上記ロック用凹部に係合され、上記ロック用凸部が上記一の方向に対して任意の角度をもって挿入・係合された際には上記第２ロック用係合凸部が上記ロック用凹部に係合されるので、上記ロック用凸部が上記ロック用凹部に対して上記一の方向から挿入・係合された場合も、上記ロック用凸部が上記一の方向に対して任意の角度をもった方向から挿入・係合された場合も、確実に上記プレート同士を連結・固定させることができる。
又、請求項５によるプレートによると、請求項４記載のプレートにおいて、上記第１ロック用係合凸部と第２ロック用係合凸部は上記ロック用凸部の対向する面にそれぞれ形成されているので、上記ロック用凸部の一方の面側にロック用係合凸部が集中して配置されず、ロック用凹部側の構成を簡単なものとすることができる。
又、請求項６によるプレートによると、請求項５記載のプレートにおいて、上記第１ロック用係合凸部と上記第２ロック用係合凸部の上記ロック用凸部の上記ロット用凹部に対する挿入方向における位置が異なっているので、上記第１ロック用係合凸部と上記第２ロック用係合凸部の上記ロック用凸部の上記ロット用凹部に対する挿入方向における位置が重ならず、上記ロック用凸部の上記ロット用凹部に対する挿入方向に直交する方向の厚みを薄く構成することができ、それにより、上記プレート自体も薄くすることができる。
又、請求項７によるプレートによると、請求項１〜請求項６の何れかに記載のプレートにおいて、上記位置決め用凸部及び上記ロック用凸部は先端に向かって幅狭状に切り欠かれているので、上記位置決め用凸部の上記位置決め用凹部への挿入や上記ロック用凸部の上記ロック用凹部への挿入を行いやすく、上記プレート同士を容易に連結させることができる。また、上記プレート同士が連結された際、外力が加わると、上記連結が解除されやすくなっており、上記プレートの破損を防止できる。
又、請求項８によるプレートによると、請求項１〜請求項７の何れかに記載のプレートにおいて、上記一端側及び他端側を結ぶ線に直交する方向の一端側に設けられた位置決め用凸部と、上記一端側及び他端側を結ぶ線に直交する方向の他端側に設けられ連結対象の他のプレートの上記位置決め用凸部の挿入・係合が許容される位置決め用凹部と、上記直交する方向の一端側に設けられたロック用凸部と、上記直交する方向の他端側に設けられ連結対象の他のプレートの上記ロック用凸部の挿入・係合が許容されるロック用凹部と、を具備したので、上記一端側及び他端側を結ぶ方向だけでなく、上記一端側及び他端側を結ぶ線に直交する方向にも、連結させることができる。
又、請求項９によるプレートは、請求項８記載のプレートにおいて、上記直交する方向の他端側に設けられた位置決め用凹部は連結対象の他のプレートの上記位置決め用凸部の複数の方向からの挿入・係合が許容されるものであり、上記直交する方向の他端側に設けられたロック用凹部は連結対象の他のプレートの上記ロック用凸部の複数の方向からの挿入・係合が許容されるものであるため、上記一端側及び他端側を結ぶ線の方向だけでなく、上記一端側及び他端側を結ぶ線に直交する方向についても、複数の方向について上記プレートを連結することができる。
また、請求項１０によるプレートは、請求項１〜請求項９の何れかに記載のプレートにおいて、上記プレートは取付対象物に取り付けられるものであり、上記取付対象物に取り付けられるための取付用部材が設置されているため、上記プレートを取付対象物に取り付けることができる。
また、請求項１１によるプレートは、請求項１０記載のプレートにおいて、上記プレートの取付用部材が設置された側に対向する側には取付用部材収納用凹部が形成されており、上記プレートが連結対象の他のプレートに連結された際、上記取付用部材は上記連結対象の他のプレートの取付用部材収納用凹部に収納されるため、上記取付用部材が上記プレートを他のプレートに連結させる際の妨げになることを防止できる。
また、請求項１２によるプレートは、請求項１０又は請求項１１記載のプレートにおいて、上記取付用部材は面ファスナであるため、上記プレートの上記取付対象物への取付が容易である。
【図面の簡単な説明】
【００１１】
【図１】本発明の一実施の形態を示す図で、囲い状構造体をプレートにより構築した玩具ロボット用の試合場を示す斜視図である。
【図２】本発明の一実施の形態を示す図で、囲い状構造体をプレートにより構築した玩具ロボット用の試合場を示す斜視図である。
【図３】本発明の一実施の形態を示す図で、プレートの正面図である。
【図４】本発明の一実施の形態を示す図で、プレートの背面図である。
【図５】本発明の一実施の形態を示す図で、プレートの右側面図である。
【図６】本発明の一実施の形態を示す図で、プレートの左側面図である。
【図７】本発明の一実施の形態を示す図で、プレートの平面図である。
【図８】本発明の一実施の形態を示す図で、プレートの底面図である。
【図９】本発明の一実施の形態を示す図で、２つのプレートを上下に真っ直ぐに連結させた状態を示す正面図である。
【図１０】本発明の一実施の形態を示す図で、２つのプレートを左右に真っ直ぐに連結させた状態を示す正面図である。
【図１１】本発明の一実施の形態を示す図で、図１１（ａ）は、２つのプレートを表面側が向かい合う状態で直交させて連結させた状態を示す正面図、図１１（ｂ）は同上の平面図である。
【図１２】本発明の一実施の形態を示す図で、図１２（ａ）は、２つのプレートを裏面側が向かい合う状態で直交させて連結させた状態を示す正面図、図１２（ｂ）は同上の平面図である。
【図１３】本発明の一実施の形態を示す図で、図１３（ａ）は図９のＸＩＩＩａ−ＸＩＩＩａ断面図、図１３（ｂ）は図９のＸＩＩＩｂ−ＸＩＩＩｂ断面図である。
【図１４】本発明の一実施の形態を示す図で、図１４（ａ）は図１０のＸＩＶａ−ＸＩＶａ断面図、図１４（ｂ）は図１０のＸＩＶｂ−ＸＩＶｂ断面図である。
【図１５】本発明の一実施の形態を示す図で、図１５（ａ）は図１１のＸＶａ−ＸＶａ断面図、図１５（ｂ）は図１１のＸＶｂ−ＸＶｂ断面図である。
【図１６】本発明の一実施の形態を示す図で、図１６（ａ）は図１２のＸＶＩａ−ＸＶＩａ断面図、図１６（ｂ）は図１２のＸＶＩｂ−ＸＶＩｂ断面図である。
【発明を実施するための形態】
【００１２】
以下、図１乃至図１６を参照して本発明の一実施の形態を説明する。
まず、図１、図２に示すように、プレート１があり、本実施の形態では、このプレート１を使用して、図１に示すように、玩具ロボット用の試合場３の囲い状構造体７を構築する、図２に示すように、玩具ロボット用の試合場５の囲い状構造体１１を構築するものである。
なお、試合場５は試合場３よりも大きく、上記囲い状構造体１１は、上記囲い状構造体７に比べて、より多くのプレート１から構成されている。
【００１３】
また、上記囲い状構造体７の図１中上下方向両端側の壁の中央下側部分は外側に突出されており、そこがゴール部１５ａ、１５ｂとなっている
また、上記囲い状構造体１１の図２中上下方向両端側の壁の中央下側部分にも、同様に、外側に突出されており、そこがゴール部１７ａ、１７ｂとなっている。
以下、上記プレート１の構成、プレート１を使用した連結部の構成を、順次説明していく。
【００１４】
まず、上記プレート１の構成を図３乃至図８を参照して説明する。
上記プレート１には、まず、プレート本体２１がある。このプレート本体２１は、裏側（図３中紙面垂直方向奥側、図４中紙面垂直方向手前側）が開口された器形状を成している。
【００１５】
上記プレート本体２１の上端面（図３中上側端面）の幅方向中央（図３中左右方向中央）には、位置決め用凸部３１が形成されている。また、上記プレート本体２１の上端面（図３中上側端面）であって、上記位置決め用凸部３１の両側（図３中右側及び左側）には、ロック用凸部３３、３５が形成されている。
上記位置決め用凸部３１は、幅方向（図３中左右方向）に薄肉状に延長されている。
また、上記ロック用凸部３３も、幅方向（図３中左右方向）に薄肉状に延長されている。また、例えば、図５、図６に示すように、上記ロック用凸部３３の上下方向中央付近には、裏面側（図５中右側）に向けてロック用係合凸部３７が突出・形成されている。
上記ロック用係合凸部３７は、例えば、図５に示すように、先端側（図５中上側）の傾斜が緩やかで、基端側（図５中下側）の傾斜が急になっている。
また、上記ロック用凸部３５も、上記ロック用凸部３３と同様の構成であり、ロック用係合凸部３９が突出・形成されている。
【００１６】
また、図５乃至図８に示すように、上記ロック用凸部３３と上記ロック用凸部３５は、表面側（図７中下側）に寄った位置に設置されていて、奥行き方向の位置（図７中上下方向の位置）が揃えられている。また、上記位置決め用凸部３１は、上記ロック用凸部３３、３５よりも裏面側（図７中上側）に寄った位置に設置されている。
【００１７】
また、例えば、図３に示すように、上記プレート１の下端面（図３中下側の面）の幅方向両側（図３中左右方向両端側）には、取付用部材としての面ファスナ４０、４０が設置されている。これら、上記面ファスナ４０、４０は、既に述べた試合場３や試合場５を構成する際、取付対象物であるベース９、１３に設置された図示しない面ファスナと着脱可能に接着され、これにより、複数の上記プレート１による囲い状構造体７、１１が上記ベース９、１３に着脱可能に設置・固定されることになる。
【００１８】
また、上記プレート本体２１の上端面（図３中上側端面）の幅方向両端側（図３中左右方向両端側）には、取付用部材収納用凹部としての面ファスナ収納用凹部４１、４１が形成されている。この面ファスナ収納用凹部４１、４１は、図９に示すように、上記プレート１同士を上下方向に連結させた際、上側のプレート１の面ファスナ１９、１９が収納されるように構成されている。
【００１９】
また、図４に示すように、上記プレート本体２１の下端面（図４中下側端面）の幅方向中央（図３中左右方向中央）には、位置決め用凹部４３が形成されている。また、図３に示すように、上記プレート本体２１の下端面（図３中下側端面）であって、上記位置決め用凹部４３の両側（図３中右側及び左側）には、ロック用凹部４５、４７が形成されている。
【００２０】
上記位置決め用凹部４３は、例えば、図４に示すように、裏面側（図４中紙面垂直方向手前側）と図４中下側に開口された凹部である。
【００２１】
また、上記ロック用凹部４５は、例えば、図３に示すように、表面側（図３中紙面垂直方向手前側）と図３中下側に開口された凹部４９から構成されていて、この凹部４９の図３中紙面垂直方向奥側の壁５１には、ロック用貫通孔５３が形成されている。
また、上記ロック用凹部４７も、例えば、図３に示すように、表面側（図３中紙面垂直方向手前側）と図３中下側に開口された凹部５５から構成されていて、この凹部５５の図３中紙面垂直方向奥側の壁５７には、ロック用貫通孔５９が形成されている。
【００２２】
また、上記プレート本体２１の図３中右端面の図３中上下方向中央には、位置決め用凸部６１が突出・形成されていて、この位置決め用凸部６１の図３中上下方向両側には、ロック用凸部６３、６５が突出・形成されている。
【００２３】
上記位置決め用凸部６１は、板状の部位であり、その先端側（図３中右端側）の幅方向両側（図３中上下方向両側）は切り欠かれて、切欠き部６７、６７が形成されている。すなわち、上記位置決め用凸部６１の先端側（図３中右側）は、図３中右側に向かうほど、幅（図３中上下方向大きさ）が小さくなるように構成されている。
【００２４】
また、上記ロック用凸部６３は、板状の部位であり、その先端側（図３中右端側）の幅方向両側（図３中上下方向両側）は切り欠かれて、切欠き部６９、６９が形成されている。すなわち、上記ロック用凸部６３の先端側（図３中右側）も、図３中右側に向かうほど、幅（図３中上下方向大きさ）が小さくなるように構成されている。
また、図７、図８に示すように、上記ロック用凸部６３の先端側（図７中右側）であって表面側（図７中下側）には、第１ロック用係合凸部７１が形成されている。
また、図７、図８に示すように、上記ロック用凸部６３の、上記第１ロック用係合凸部７１が形成されている位置よりも基端側（図７中左側）であって裏面側（図７中上側）には、第２ロック用係合凸部７３が形成されている。
上記第１ロック用係合凸部７１と上記第２ロック用係合凸部７３は、例えば、図７に示すように、先端側（図７中右側）の傾斜が緩やかで、基端側（図７中左側）の傾斜が急になっている。
【００２５】
また、上記ロック用凸部６５も、上記ロック用凸部６３と同様の構成であり、切欠き部７５、７５、第１ロック用係合凸部７７、第２ロック用係合凸部７９が形成されている。
【００２６】
図５乃至図８に示すように、上記ロック用凸部６３と上記ロック用凸部６５は、表面側（図５中左側）に寄った位置に設置されていて、奥行き方向の位置（図５中左右方向の位置）が揃えられており、上記位置決め用凸部６１は、上記ロック用凸部６３、６５よりも裏面側（図５中右側）に寄った位置に設置されている。
【００２７】
また、上記プレート本体２１の図３中左端面の図３中上下方向中央には、位置決め用凹部８１が形成されている。また、上記プレート本体２１の図３中左端面であって、上記位置決め用凹部８１の両側（図３中上側及び下側）には、ロック用凹部８３、８５が形成されている。
【００２８】
上記位置決め用凹部８１は、例えば、図４に示すように、裏面側（図４中紙面垂直方向手前側）と図４中右側に開口された凹部８７から構成されていて、この凹部８７の表面側（図４中紙面垂直方向奥側）の壁８９には連結用貫通孔９１が形成されている。
【００２９】
また、上記ロック用凹部８３は、例えば、図３乃至図５に示すように、表面側から裏面側に向かう方向（図３中紙面垂直方向）に形成された連結用貫通孔９３と、この連結用貫通孔９３の左側であって表面側（図３中紙面垂直方向手前側）を切り欠いて形成された連結用凹部９５とから構成される。また、上記連結用貫通孔９３の内周面の裏面側であって図３中右側には、係合用凸部９６が突出・形成されている。
また、上記ロック用凹部８５も、上記ロック用凹部８３と同様の構成であり、連結用貫通孔９７、連結用凹部９９、及び、係合用凸部１０１が形成されている。
【００３０】
次に、上記構成のプレート１を上下方向に真っ直ぐに連結する場合、左右方向に真っ直ぐに連結する場合、表面同士を対向させるように直交する方向に連結する場合、裏面同士を対向させるように直交する方向に連結する場合、について、図９乃至図１６を参照して説明する。
まず、上記プレート１同士を上下方向に真っ直ぐに連結する場合について、図９、図１３を参照して説明する。
この場合は、図１３（ａ）に示すように、位置決め用凸部３１が位置決め用凹部４３に挿入・係合される。
【００３１】
また、このとき、図１３（ｂ）に示すように、ロック用凹部４５の凹部４９内にロック用凸部３３が挿入されて、このロック用凸部３３のロック用係合凸部３７と上記ロック用凹部４５のロック用貫通孔５３とが係合される。また、同様に、ロック用凹部４７の凹部５５内にロック用凸部３５が挿入されて、このロック用凸部３５のロック用係合凸部３９と上記ロック用凹部４７のロック用貫通孔５９とが係合される。
また、このとき、図９に示すように、図９中上側のプレート１に設置された面ファスナ１９、１９は、図９中下側のプレート１の面ファスナ収納用凹部４１、４１内に収納される。
【００３２】
次に、図１０、図１４を参照して、上記プレート１同士を左右方向に真っ直ぐに連結する場合について説明する。
この場合、図１４（ａ）に示すように、上記凹部８７内に、図１４（ａ）中左側から上記位置決め用凸部６１が挿入される。
また、図１４（ｂ）に示すように、連結用凹部９５の図１４（ｂ）中左側からロック用凹部８３内に上記ロック用凸部６３が挿入され、上記連結用貫通孔９３の連結用凹部９５側（図１４（ｂ）中左側）の縁部に第２ロック用係合凸部７３が係合される。また、上記ロック用凸部６３の先端（図１４（ｂ）中右側端）は、係合用凸部９６の表面側（図１４（ｂ）中上側）に係合される。
また、同様に、ロック用凹部８５内に上記ロック用凸部６５が挿入され、上記連結用貫通孔９７の連結用凹部９９側の縁部に第２ロック用係合凸部７９が係合される。また、上記ロック用凸部６５の先端は、係合用凸部１０１の表面側に係合される。
【００３３】
次に、図１１、図１５を参照して、プレート１同士を表面側（図１１（ｂ）中上側及び左側）を対向させた状態で直交する方向に連結する場合について説明する。
この場合は、図１５（ａ）に示すように、上記連結用貫通孔９１に、表面側（図１５（ａ）中下側）から、上記位置決め用凸部６１が挿入される。
また、図１５（ｂ）に示すように、上記ロック用凸部６３が、表面側（図１５（ｂ）中下側）から上記連結用貫通孔９３に挿入され、第１ロック用係合凸部７１が上記係合用凸部９６の裏面側（図１５（ｂ）中上側）に係合される。
また、同様に、上記ロック用凸部６５が、上記連結用貫通孔９７に挿入され、第１ロック用係合凸部７７が上記係合用凸部１０１の裏面側に係合される。
【００３４】
次に、図１２、図１６を参照して、上記プレート１同士を裏面側（図１２（ｂ）中下側及び左側）を対向させた状態で直交する方向に連結する場合について説明する。
この場合は、図１６（ａ）に示すように、上記連結用貫通孔９１に、裏面側（図１６（ａ）中上側）から、上記位置決め用凸部６１が挿入される。
また、図１６（ｂ）に示すように、上記ロック用凸部６３が、裏面側（図１６（ｂ）中上側）から上記連結用貫通孔９３に挿入され、第１ロック用係合凸部７１が連結用凹部９５に係合される。
また、同様に、上記ロック用凸部６５が、裏面側から上記連結用貫通孔９７に挿入され、第１ロック用係合凸部７７が連結用凹部９５に係合される。
【００３５】
そして、上記構成をなすプレート１を複数枚使用し、それら複数枚のプレート１を、上下方向に真っ直ぐに連結する、左右方向に真っ直ぐに連結する、表面を対向させた状態で直交する方向に連結する、ことにより、前記した試合場３の囲い状構造体７や、試合場５の囲い状構造体１１が構築される。
【００３６】
以上、この一実施の形態によると次のような効果を奏することができる。
まず、この一実施の形態による連結用プレート１は、図１０に示すように、プレート１を左右方向に真っ直ぐに連結させることができると共に、図１１及び図１２に示すように、互いに直交させた状態でも連結させることができる。これは、位置決め用凸部６１を、位置決め用凹部８１に対して、真っ直ぐな方向からも直交する方向からも挿入・係合させることができるからであり、また、ロック用凸部６３、６５についても、ロック用凹部８３、８５に対して、真っ直ぐな方向からも直交する方向からも挿入・係合させることができるからである。
また、その際、プレート１以外の他の連結用要素は必要なく、簡単な構成により上記プレート１を連結させることができる。
また、その連結状態は、ロック用凸部６３、６５とロック用凹部８３、８５の係合構造により、強固に保持されるので、その連結が不用意に解除されることはない。
また、上記プレート１同士を上下方向に連結することも可能であり、その連結状態は、ロック用凸部３３、３５とロック用凹部４５、４７の係合構造により強固に保持され、その連結が不用意に解除されることはない。
【００３７】
また、上記プレート１同士が、図９に示すように上下方向に真っ直ぐに連結された場合、図１３（ａ）に示すように、位置決め用凸部３１の表面側（図１３（ａ）中左側）と位置決め用凹部４３が当接されているので、上側のプレート１に対する下側のプレート１の図１３（ａ）中反時計回り方向の回転や図１３（ａ）中左側への位置ずれが防止されると共に、図１３（ｂ）に示すように、ロック用凸部３３、３５の裏面側（図１３（ｂ）中右側）とロック用凹部４５、４７が当接されているので、上側のプレート１に対する下側のプレート１の図１３（ｂ）中時計回り方向の回転や図１３（ｂ）中右側への位置ずれが防止され、これによっても、不用意な連結の解除を防止することができる。
【００３８】
また、上記プレート１同士が、図１０に示すように左右方向に真っ直ぐに連結された場合も、図１４（ａ）に示すように、位置決め用凸部６１の表面側（図１４（ａ）中上側）と位置決め用凹部８１の裏面側（図１４（ａ）中下側）が当接されているので、左側のプレート１に対する右側のプレート１の図１４（ａ）中時計回り方向への回転や図１４（ａ）中上側への位置ずれが防止されると共に、図１４（ｂ）に示すように、ロック用凸部６３、６５の裏面側（図１４（ｂ）中下側）と係合用凸部９６、１０１及び連結用凹部９５、９９とが当接されているので、左側のプレート１に対する右側のプレート１の図１４（ｂ）中反時計回り方向の回転や図１４（ｂ）中下側への位置ずれが防止され、これによっても、不用意な連結の解除を防止することができる。
【００３９】
また、上記プレート１同士が、図１１に示すように、表面を対向させた状態で直交する方向に連結された場合は、図１５（ａ）に示すように、位置決め用凸部６１が連結用貫通孔９１内に挿入されているため、図１５（ａ）中上側のプレート１に対する図１５（ａ）中下側のプレート１の回転や位置ずれが防止され、これによっても、不用意な連結の解除を防止することができる。
また、上記プレート１同士が、図１２に示すように、裏面を対向させた状態で直交する方向に連結された場合も、図１６（ａ）に示すように、位置決め用凸部６１が連結用貫通孔９１内に挿入されているため、図１６（ａ）中上側のプレート１に対する図１６（ａ）中下側のプレート１の回転や位置ずれが防止され、これによっても、不用意な連結の解除を防止することができる。
【００４０】
また、図７に示すように、上記ロック用凸部６３において、第１ロック用係合凸部７１と第２ロック用係合凸部７３が、それぞれ表面側と裏面側に設けられていて、且つ、その位置が上記ロック用凸部６３の挿入方向（図７中左右方向）にずれているので、上記ロック用凸部６３の厚み（図７中上下方向大きさ）を薄くすることができる。同様に、図８に示すように、上記ロック用凸部６５においても、第１ロック用係合凸部７７と第２ロック用係合凸部７９が、それぞれ表面側と裏面側に設けられていて、且つ、その位置が上記ロック用凸部６５の挿入方向（図８中左右方向）にずれているので、上記ロック用凸部６５の厚み（図８中上下方向大きさ）を薄くすることができる。それにより、上記プレート１の厚さ（図７、図８中上下方向大きさ）を薄くすることができる。
【００４１】
また、図３に示すように、位置決め用凸部６１、ロック用凸部６３、６５は先端側（図３中右側）に向かうほど、幅（図３中上下方向大きさ）が小さくなるような形状となっているため、上記位置決め用凸部６１の上記位置決め用凹部８１への挿入や上記ロック用凸部６３、６５の上記ロック用凹部８３、８５への挿入を行いやすく、上記プレート１同士を容易に連結させることができる。また、大きな外力が加えられた際、連結が解除されやすくなっており、このような連結の解除によって、上記プレート１の破損を防止することができる。
【００４２】
また、上記ロック用凸部３３の上記ロック用係合凸部３７や上記ロック用凸部３５の上記ロック用係合凸部３９は、例えば、図５に示すように、先端側（図５中上側）の傾斜が緩やかになっているため、上記プレート１同士を連結する際、上記ロック用凸部３３、３５の上記ロック用凹部４５、４７への挿入・係合が行いやすい。
また、上記ロック用凸部３３の上記ロック用係合凸部３７や上記ロック用凸部３５の上記ロック用係合凸部３９は、例えば、図５に示すように、基端側（図５中下側）の傾斜が急になっているため、上記ロック用凸部３３、３５の上記ロック用凹部４５、４７との係合が解除されにくく、上記プレート１同士の連結の不用意な解除を防止することができる。
【００４３】
また、上記ロック用凸部６３の上記第１ロック用係合凸部７１と上記第２ロック用係合凸部７３、及び、上記ロック用凸部６５の上記第１ロック用係合凸部７７と上記第２ロック用係合凸部７９は、例えば、図７に示すように、先端側（図７中右側）の傾斜が緩やかになっているため、上記プレート１同士を連結する際、上記ロック用凸部６３、６５の上記ロック用凹部８３、８５への挿入・係合が行いやすい。
また、上記ロック用凸部６３の上記第１ロック用係合凸部７１と上記第２ロック用係合凸部７３、及び、上記ロック用凸部６５の上記第１ロック用係合凸部７７と上記第２ロック用係合凸部７９は、例えば、図７に示すように、基端側（図７中左側）の傾斜が急になっているため、上記ロック用凸部６３、６５の上記ロック用凹部８３、８５との係合が解除されにくく、上記プレート１同士の連結の不用意な解除を防止することができる。
【００４４】
また、上記プレート１には、面ファスナ４０、４０が設置されているため、上記プレート１による囲い状構造体７、１１をベース９、１３に容易に設置することができる。また、上記プレート１には、面ファスナ収納用凹部４１、４１が形成されているため、上記プレート１同士が連結された際、上記面ファスナ４０、４０が面ファスナ収納用凹部４１、４１に収納され、上記面ファスナ４０、４０が上記プレート１同士の連結の妨げになることを防止できる。
【００４５】
なお、図示した把持部の構成はあくまで一例でありそれに限定されるものではない。
まず、プレート同士の上端側と下端側を連結する場合についても、真っ直ぐ連結できると共に、直交させた方向にも連結できる場合が考えられる。この場合、例えば、プレートの上端部に、位置決め用凸部６１とロック用凸部６３、６５のような構成を設け、プレートの下端部に、位置決め用凹部８１とロック用凹部８３、８５のような構成を設ければよい。
【００４６】
また、プレート１同士が連結される角度には、様々な場合が考えられる。この場合、ロック用凸部６３、６５の突出角度や、ロック用凹部８３、８５の連結用貫通孔９１、９３の傾斜角度を所望の角度に設定すればよい。
また、前記一実施の形態においては、位置決め用凹部８１やロック用凹部８３、８５は、真っ直ぐな方向と直交された２方向の合計３方向からの位置決め用凸部６１やロック用凸部６３、６５の挿入・係合を許容される構成となっていたが、それ以上の方向からの挿入・係合が許容されるように構成してもよい。
【産業上の利用可能性】
【００４７】
本発明は、プレートに係り、特に、他の連結用要素を要することなく、真っ直ぐに又は直角等任意の角度をもって連結でき、且つ、該連結が不用意に解除されないように工夫したものに関い、例えば、サッカーロボット用の試合場の囲い状構造体を構成するプレートに好適である。
【符号の説明】
【００４８】
１  プレート
２１  プレート本体
３１  位置決め用凸部
３３  ロック用凸部
３５  ロック用凸部
４０  面ファスナ（取付用部材）
４１  面ファスナ収納用凹部（取付用部材収納用凹部）
４３  位置決め用凹部
４５  ロック用凹部
４７  ロック用凹部
６１  位置決め用凸部
６３  ロック用凸部
６５  ロック用凸部
６７  切欠き部
６９  切欠き部
７１  第１ロック用係合凸部
７３  第２ロック用係合凸部
７５  切欠き部
７７  第１ロック用係合凸部
７９  第２ロック用係合凸部
８１  位置決め用凹部
８３  ロック用凹部
８５  ロック用凹部
【図１】
2015188713.tif 000003
【図２】
2015188713.tif 000004
【図３】
2015188713.tif 000005
【図４】
2015188713.tif 000006
【図５】
2015188713.tif 000007
【図６】
2015188713.tif 000008
【図７】
2015188713.tif 000009
【図８】
2015188713.tif 000010
【図９】
2015188713.tif 000011
【図１０】
2015188713.tif 000012
【図１１】
2015188713.tif 000013
【図１２】
2015188713.tif 000014
【図１３】
2015188713.tif 000015
【図１４】
2015188713.tif 000016
【図１５】
2015188713.tif 000017
【図１６】
2015188713.tif 000018